(57)【特許請求の範囲】
【請求項１】
装置正面に操作部を有するラッチ機構を介して硬貨処理装置に脱着自在に装着可能であって、
硬貨を収納するために直線的かつ並列に設けられた複数の円筒部からなる硬貨収納筒を有し、
該硬貨収納筒の正面側を構成する装置本体と、
前記硬貨収納筒の背面側を開閉自在に覆う蓋体とを具えた脱着式硬貨収納装置において、
前記硬貨収納筒の背面側下方の一部を構成する釣銭管理ユニットをさらに具え、
前記釣銭管理ユニットは、前記装置本体に装着可能な管理チューブと、該管理チューブの上端に装着可能な増設チューブと、前記蓋体に装着可能な補助チューブとを有し、
前記装置本体には、前記管理チューブと係合する被取付部を設け、
前記蓋体には、前記補助チューブと係合する嵌挿孔を設け、
第一の組立形態においては、前記硬貨収納筒の背面側を、硬貨回収時に釣銭として残す硬貨の枚数分の高さより上方は前記蓋体で形成し、前記釣銭として残す硬貨の枚数分の高さまでは前記釣銭管理ユニットのうち前記管理チューブと前記増設チューブとの組み合わせで形成し、
第二の組立形態においては、前記硬貨収納筒の背面側を、硬貨回収時に釣銭として残す硬貨の枚数分の高さより上方は前記蓋体と前記釣銭管理ユニットのうちの前記補助チューブとの組み合わせで形成し、前記釣銭として残す硬貨の枚数分の高さまでは前記釣銭管理ユニットのうち前記管理チューブで形成し、
前記硬貨回収時に釣銭として残す硬貨の枚数によって、前記第一の組立形態または前記第二の組立形態にすることができることを特徴とする脱着式硬貨収納装置。
【請求項２】
前記釣銭管理ユニットは、さらに前記蓋体に装着可能な全補助チューブを有し、
第三の組立形態においては、前記硬貨収納筒の背面側を、前記蓋体と前記釣銭管理ユニットのうち前記全補助チューブとの組み合わせで形成し、
前記硬貨回収時に釣銭として残す硬貨の枚数によって、前記第一の組立形態、前記第二の組立形態または前記第三の組立形態にすることができることを特徴とする請求項１に記載の脱着式硬貨収納装置。
【請求項３】
前記管理チューブおよび前記増設チューブにおける前記１つの円筒部毎の上端に、それぞれ一対ずつのスリットを具え、
該一対のスリットは硬貨回収時に、前記脱着式硬貨収納装置を背面側に傾倒させた際に釣銭として残す硬貨の最上位硬貨１枚が背面側に摺動するのを案内し、かつ、背面側開口部の幅を前記最上位硬貨の外径より小さく形成して前記最上位硬貨が摺動した際に前記開口部で摺動が停止するように配設し、
さらに、前記蓋体が閉塞する動作によって前記最上位硬貨の前記停止した姿勢を解除することを特徴とする請求項１に記載の脱着式硬貨収納装置。
【発明の詳細な説明】
【技術分野】
【０００１】
本発明は、自動販売機、両替機、サービス機器等の機器内部に搭載される硬貨処理装置に脱着可能である硬貨収納装置に関し、特に硬貨回収時に硬貨収納装置から必要な枚数を残して他の硬貨を取り出す技術に関する。
【背景技術】
【０００２】
一般に、自動販売機、両替機、サービス機器等の機器内部には、投入硬貨の真偽を判別して正貨を金種別に選別収納するとともに、この選別収納された硬貨を釣銭として払い出す硬貨処理装置が搭載されている。
【０００３】
この硬貨処理装置に搭載される脱着式硬貨収納装置（以下、硬貨収納装置と称す。）は、硬貨処理装置に対して脱着自在であって、金種別に硬貨を積載収納する複数の硬貨収納筒が設けられている。
【０００４】
上記硬貨収納装置は、主に、硬貨選別装置から落下する硬貨を積載収納するための直線的かつ並列に設けられた複数の硬貨収納筒と、硬貨収納装置の下方部を塞ぐように硬貨収納筒の下方域にねじ等で固着されたコインベースと、硬貨収納筒の下端とコインベースとの間にスライド自在に支承され、複数の硬貨収納筒全ての最下層にある硬貨を一枚ずつ引き出すペイアウトスライドとから構成され、硬貨収納装置の上部を筐体に係止または解除するラッチ機構と、取り外しおよび装着の際に指を嵌挿して引っかけるために硬貨収納装置正面に形成された取手部とをさらに具えている（特許文献１：特開２００２−６３６４０号公報、等）。
【０００５】
このような硬貨収納装置を有する硬貨処理装置は、ラッチ機構を操作して筐体と硬貨収納装置との結合を解除することによって、硬貨処理装置を機器に配設した状態のまま硬貨収納装置を取り外すことができる。
そして、筐体から離脱させた硬貨収納装置は、硬貨収納筒の背面を構成して開閉自在に覆う蓋体を拡開することによって、収納硬貨を迅速かつ容易に回収することができる。
【０００６】
ところで、上記硬貨処理装置を搭載した自動販売機等の機器においては、定期的に商品等の補充や、収納貨幣および硬貨の回収、釣銭の補充をする必要がある。
特に、収納硬貨の回収と補充においては、筐体から離脱させた硬貨収納装置の硬貨収納筒内の収納硬貨を全て回収した後、硬貨処理装置を搭載した自動販売機等機器の設置場所に適合した釣銭枚数を数えて、再度、硬貨収納筒へ補充する必要がある。
そして、これらの作業は、収納硬貨回収と釣銭の補充を迅速かつ確実に行うことが必要とされている。
【０００７】
硬貨収納筒内の残留硬貨の回収および釣銭用硬貨の補充を容易にするため、本出願人は、硬貨収納筒の背面側を、釣銭として残したい硬貨の枚数分の高さを境界として、それより下部は装置本体で形成し、上部は蓋体で形成することによって、任意の必要枚数を残して硬貨を回収可能である技術を開発している（特許文献２：特開２０１０−１４６３１４号公報）。
【０００８】
しかしながら、上記特許文献２の技術においては、硬貨回収時に硬貨収納筒内に残す釣銭用硬貨の枚数を変更することができないので、自動販売機の商品販売価格やロケーションに応じて、それぞれ別形態の硬貨収納装置を用意する必要がある。
【０００９】
また、本出願人は、硬貨回収時に釣銭として残したい硬貨の枚数分の高さまでを、装置本体に対して脱着自在である補助チューブで形成する技術を開発している（特許文献３：特願２０１１−２６０３３６号明細書）。
【００１０】
しかしながら、上記特許文献３の技術においても、硬貨回収時に硬貨収納筒内に残す釣銭用硬貨の枚数を変更するためには、補助チューブのみならず、蓋体を交換する必要がある。
【００１１】
他方、硬貨回収補助具を硬貨収納筒内に嵌着して硬貨収納筒の蓋を閉じた状態で硬貨収納装置を倒し、前記硬貨回収補助具よりも上方に積み上げられた硬貨のみを硬貨収納筒上部の開口部から排出することによって、任意の必要枚数を残して硬貨を回収可能である技術を開発している（特許文献４：特開２０１０−１４６１７８号公報）。
【００１２】
しかしながら、上記特許文献４の技術においては、硬貨回収及び補充の作業を効率的に行うことはできるが、硬貨回収補助具という別部品を用意する必要があり煩雑である。また、勢いよく硬貨収納装置を倒した場合、依然として、硬貨回収時に釣銭として残したい硬貨まで落下してしまう虞がある。
【００１３】
また、硬貨収納筒に設けた押圧部材を操作して硬貨側面を加圧して保持することによって、硬貨収納装置を逆さまにした際に、釣銭として残したい硬貨の落下を防止する技術が開示されている（特許文献５：特開平０６−３３３１１８号公報）
【００１４】
しかしながら、上記特許文献５の技術においては、硬貨収納部の脱着操作時に使用する箇所とは別の箇所での操作が必要なため、離脱させた硬貨収納装置を持ち替える作業が追加され、この際に誤って硬貨収納装置を落下させてしまう等の作業に支障が発生する虞がある。
【先行技術文献】
【特許文献】
【００１５】
【特許文献１】特開２００２−６３６４０号公報
【特許文献２】特開２０１０−１４６３１４号公報
【特許文献３】特願２０１１−２６０３３６号明細書
【特許文献４】特許文献４：特開２０１０−１４６１７８号公報
【特許文献５】特許文献５：特開平０６−３３３１１８号公報
【発明の概要】
【発明が解決しようとする課題】
【００１６】
そこで、本発明は、上述した事情に鑑み、任意の必要枚数を残した収納硬貨の回収を、特別な別部品を使用せずに、かつ、硬貨処理装置本体からの脱着作業中に持ち替えることを必要とせずに、残留硬貨の落下を防止して、硬貨の回収および補充作業を同時に迅速かつ確実に行うことが可能な硬貨収納装置において、残留硬貨の枚数を適宜変更可能である硬貨収納装置を提供することを目的とする。
【課題を解決するための手段】
【００１７】
上述した課題を解決するために、本発明の硬貨処理装置は、装置正面に操作部を有するラッチ機構を介して硬貨処理装置に脱着自在に装着可能であって、硬貨を収納するために直線的かつ並列に設けられた複数の円筒部からなる硬貨収納筒を有し、該硬貨収納筒の正面側を構成する装置本体と、前記硬貨収納筒の背面側を開閉自在に覆う蓋体とを具えた脱着式硬貨収納装置において、前記硬貨収納筒の背面側下方の一部を構成する釣銭管理ユニットをさらに具え、前記釣銭管理ユニットは、前記装置本体に装着可能な管理チューブと、該管理チューブの上端に装着可能な増設チューブと、前記蓋体に装着可能な補助チューブとを有し、前記装置本体は、前記管理チューブと係合する被取付部を設け、前記蓋体は、前記補助チューブと係合する嵌挿孔を設け、第一の組立形態においては、前記硬貨収納筒の背面側を、硬貨回収時に釣銭として残す硬貨の枚数分の高さより上方は前記蓋体で形成し、前記釣銭として残す硬貨の枚数分の高さまでは前記釣銭管理ユニットのうち前記管理チューブと前記増設チューブとの組み合わせで形成し、第二の組立形態においては、前記硬貨収納筒の背面側を、硬貨回収時に釣銭として残す硬貨の枚数分の高さより上方は前記蓋体と前記釣銭管理ユニットのうちの前記補助チューブとの組み合わせで形成し、前記釣銭として残す硬貨の枚数分の高さまでは前記釣銭管理ユニットのうち前記管理チューブで形成し、前記硬貨回収時に釣銭として残す硬貨の枚数によって、前記第一の組立形態または前記第二の組立形態にすることができるようにしている。
【発明の効果】
【００１８】
このように、硬貨収納筒の背面側において、硬貨回収時に釣銭として残す硬貨枚数分の積層高さを釣銭管理ユニットにより管理形成するようにし、釣銭管理ユニットの構成部品および組立形態を変更することによって、前記釣銭として残す硬貨の枚数を変更することができるので、硬貨収納装置を搭載する自動販売機の運用に合わせて、釣銭として残す硬貨の枚数を複数通り設定可能な硬貨収納装置が提供できる。
【図面の簡単な説明】
【００１９】
【図１】本発明に係る硬貨収納装置の第一の組立形態において、主に背面側の構成を示す分解斜視図。
【図２】図１において、筐体と蓋体と釣銭管理ユニットとを互いに装着した状態を示す斜視図。
【図３】図２において、蓋体を閉塞した状態を示す斜視図。
【図４】図３において、硬貨収納筒の主に正面側の構成を示す斜視図。
【図５Ａ】第一の組立形態における釣銭管理ユニットの分解斜視図。
【図５Ｂ】第二の組立形態における釣銭管理ユニットの分解斜視図。
【図５Ｃ】第三の組立形態における釣銭管理ユニットの分解斜視図。
【図６】本発明に係る硬貨収納装置の第二の組立形態において、主に背面側の構成を示す分解斜視図。
【図７】図６において、筐体と蓋体と釣銭管理ユニットとを互いに装着した状態を示す斜視図。
【図８】図７において、蓋体を閉塞した状態を示す斜視図。
【図９】図８において、硬貨収納筒の主に正面側の構成を示す斜視図。
【図１０Ａ】蓋体および補助チューブの内壁面側を示す分解斜視図。
【図１０Ｂ】蓋体および補助チューブの背面側を示す分解斜視図。
【図１１】本発明に係る硬貨収納装置の第三の組立形態において、主に背面側の構成を示す分解斜視図。
【図１２】図１１において、筐体と蓋体と釣銭管理ユニットとを互いに装着した状態を示す斜視図。
【図１３】図１２において、蓋体を閉塞した状態を示す斜視図。
【図１４Ａ】蓋体および全補助チューブの内壁面側を示す分解斜視図。
【図１４Ｂ】蓋体および全補助チューブの背面側を示す分解斜視図。
【発明を実施するための形態】
【００２０】
以下、本発明に係る硬貨収納装置の実施例を示して詳述する。
まず、第一の組立形態における硬貨収納装置１の構成について説明する。
【００２１】
図１に示す硬貨収納装置１は、図示せぬ硬貨選別部から落下する硬貨を積載収容するための直線的かつ並列的に設けられた複数の円筒部２１〜２５からなる硬貨収納筒２を有し、装置本体を構成する筐体３と、硬貨収納筒２背面の一部を開閉自在に覆う蓋体４と、硬貨回収時において釣銭としての硬貨を硬貨収納筒２内に残すための釣銭管理ユニット５とから主に構成されるものである。
なお、本実施例において、硬貨収納筒２は、円筒部２１、２２、２３、２４、２５に、それぞれ、１０円硬貨、５０円硬貨、１０円硬貨、１００円硬貨、５００円硬貨を積載収容するように設けている。
【００２２】
そして、この硬貨収納装置１の正面には、硬貨収納装置１の上部を図示せぬ硬貨処理装置本体に係止または解除する図示せぬラッチ機構の操作部と、取り外しおよび装着の際に指を嵌挿して引っかけるための図示せぬ取手孔とを具えており、前記ラッチ機構の操作部と前記取手孔とを、片手で掴持可能であるように配置することによって、片手のみの操作で、硬貨収納装置１を図示せぬ硬貨処理装置本体に装着または取り外しすることを可能にしている。
【００２３】
蓋体４は、図２および図３に示すように、筐体３の下部に形成した軸部３１と蓋体４に設けた軸部４１との係合により、筐体３に対して回転自在に支承されている。なお、従来の技術と同様に、蓋体４の軸部４１を軸部３１に取り付ける際は、軸部４１を先端に有する腕部４１ａの弾性（樹脂材料の弾性復帰力等）を利用するものである。
このような構成によると、硬貨収納筒２の上端からのみならず、背面側から収納硬貨を回収することが可能であるので、収納硬貨の回収を容易かつ迅速にできる。
【００２４】
釣銭管理ユニット５は、図１〜図４に示す第一の組立形態においては、円筒部２３において１０円硬貨５０枚を釣銭として残し、円筒部２４において１００円硬貨４５枚を釣銭として残すように、硬貨収納筒２における円筒部２３および円筒部２４の背面側一部を構成されるものであって、筐体３に対して脱着自在に装着されるものである。
【００２５】
なお、図５Ｂおよび図５Ｃに示すように、釣銭管理ユニット５は、さらに、後述する補助チューブ８と、全補助チューブ９とを有するものであり、これらは各部品を組み合わせることによって、後述する各組立形態を形成するものである。
【００２６】
第一の組立形態における釣銭管理ユニット５は、図５Ａに示すように、管理チューブ６と、管理チューブ６に対して脱着自在に装着される増設チューブ７とから構成される。
【００２７】
増設チューブ７の背面側下端には、下方（硬貨収納筒２における下流側）に向かって突設される２つの嵌挿突起７１、７１を略左右対称に形成している。
【００２８】
増設チューブ７を管理チューブ６に取り付ける際は、管理チューブ６の背面側の円筒部２４における上部に設けた２つの嵌挿孔６１、６１に、嵌挿突起７１、７１を上方から嵌挿して保持し、さらに、各嵌挿突起７１、７１の外側部に設けた取付穴７２、７２に、各嵌挿孔６１、６１の外側部に形成した爪部６２を掛合させて固定している。
【００２９】
ここで、増設チューブ７の円筒部２３側の上端には、上下方向のリブ７３を形成しており、円筒部２３における管理チューブ６の円筒部２４側の上端に形成した上下方向の溝部６３に、リブ７３を嵌挿して、増設チューブ７の上部を保持するようにしている。
【００３０】
このように、釣銭管理ユニット５は、管理チューブ６と増設チューブ７とを連結した状態で、後述するように筐体３に装着するものである。
【００３１】
図５Ａに示すように、管理チューブ６の円筒部２３、２４におけるそれぞれの左右縁部には、正面側に向かって延設される舌片状の取付部６４を複数設けており、それぞれの取付部６４の先端に爪部６４ａを形成している。なお、本実施例においては、管理チューブ６全体として、５つの取付部６４を設けているが、取付部６４の数および位置は適宜変更しても構わない。
【００３２】
また、増設チューブ７の円筒部２４における円筒部２５側の縁部には、正面側に向かって延設される舌片状の取付部７４を設けており、それぞれの取付部７４の先端に爪部７４ａを形成している。なお、本実施例においては、補助チューブ７全体として、１つの取付部７４を設けているが、取付部７４の数および位置は適宜変更しても構わない。
【００３３】
そして、釣銭管理ユニット５を筐体３に取り付ける際は、図１に示すように、管理チューブ６と増設チューブ７を連結した状態において、筐体３における、円筒部２２と円筒部２３との間、円筒部２３と円筒部２４との間、および円筒部２４と円筒部２５との間に形成した各挿通孔３２に、各取付部６４、７４を嵌挿し、図４に示すように、筐体３における硬貨収納筒２正面側に設けた各被取付部３３に各爪部６４ａ、７４ａを掛合させて固定するようにしている。
【００３４】
ここで、図１に示すように、蓋体４における、円筒部２３および円筒部２４の正面側下部には、凹状壁面４２を形成している。そして、図２および図３に示すように、釣銭管理ユニット５を筐体３に装着した状態において蓋体４を閉塞した際には、管理チューブ６および増設チューブ７の背面側の外周壁面６５、７５が、凹状壁面４２と嵌合するようにしている。
【００３５】
管理チューブ６および増設チューブ７からなる釣銭管理ユニット５を筐体３に装着した状態において、硬貨収納筒２の各円筒部２１〜２５の正面側は、筐体３で構成する一方、硬貨収納筒２の各円筒部２１〜２５の背面側は、蓋体４と増設チューブ７と管理チューブ６と筐体３とによって、上下を分割して構成している。
すなわち、硬貨回収時に釣銭として残したい硬貨枚数分の高さまでの部位は筐体３、管理チューブ６および増設チューブ７で構成し、それ以上の部位は蓋体４で構成している。
【００３６】
そして、蓋体４を閉塞している状態においては、硬貨収納筒２の硬貨を収容する各円筒部２１〜２５の周面を、筐体３の内周壁面３４と、蓋体４の内周壁面４３と、管理チューブ６の内周壁面６６と、増設チューブ７の内周壁面７６とによって構成し、蓋体４を拡開している状態においては、硬貨収納筒２内の収納硬貨のうち、釣銭として残さない硬貨の外周面の背面側略半分が硬貨収納装置１から露出するようにしている。
【００３７】
ここで、本実施例において、円筒部２３における管理チューブ６の高さは、１０円硬貨５０枚分の高さに対応し、円筒部２４における増設チューブ７の高さは、１００円硬貨４５枚分の高さに対応するものとする。
なお、円筒部２４における管理チューブ６の高さは、１００円硬貨２５枚分の高さに対応するものとしており、後に詳述する。
【００３８】
本実施例において、円筒部２３、２４における蓋体４と管理チューブ６および増設チューブ７との境界部の構成は、本出願人が先に出願した特許文献３（特願２０１１−２６０３３６号明細書）の構成と同様のものである。この構成は、円筒部２４における管理チューブ６と後述する補助チューブ８との境界部の構成についても同様であり、各境界部の構成については、後に詳述する。
【００３９】
次に、第二の組立形態における硬貨収納装置１の構成について説明する。
【００４０】
図６〜図９に示す第二の組立形態における硬貨収納装置１の基本的な構成は、図１〜図４に示す第一の組立形態と同様であり、筐体３および蓋体４は、第一の組立形態と共通のものを使用するものとし、同様の符号で示すものとしている。
【００４１】
釣銭管理ユニット５は、図６〜図９に示す第二の組立形態において、円筒部２３において１０円硬貨５０枚を釣銭として残し、円筒部２４において１００円硬貨２５枚を釣銭として残すように、硬貨収納筒２における円筒部２３および円筒部２４の背面側一部を構成されるものであって、図５Ｂに示すように、第一の組立形態と共通のものである管理チューブ６と、補助チューブ８とから構成される。
【００４２】
管理チューブ６は、筐体３に脱着自在に装着されるものであり、管理チューブ６を筐体３に取り付ける際は、図６に示すように、各挿通孔３２に、各取付部６４を嵌挿し、図９に示すように、各被取付部３３に各爪部６４ａを掛合させて固定するようにしている。
【００４３】
なお、第二の組立形態においては、筐体３の挿通孔３２および被取付部３３の内、第一の組立形態において増設チューブ７の取付部７４を嵌挿した挿通孔３２および爪部７４ａを掛合させた被取付部３３は使用しないものとする。
【００４４】
図５Ｂに示すように、補助チューブ８には、上方（硬貨収納筒２における上流側）に向かって突設される嵌挿突起８１を複数設けており、本実施例において、この嵌挿突起８１は、補助チューブ８上部の左右側部に設けた２つの上部嵌挿突起８１ａと、補助チューブ８下部の左右側部に設けた２つの下部嵌挿突起８１ｂとからなる。
【００４５】
そして、図１０Ａおよび図１０Ｂに示すように、補助チューブ８を蓋体４に取り付ける際は、蓋体４における、円筒部２３と円筒部２４との間、および円筒部２４と円筒部２５との間に形成した嵌挿孔４４に、各嵌挿突起８１を嵌挿して固定している。この際、上部嵌挿突起８１ａは、凹状壁面４２の上端に設けた上部嵌挿孔４４ａに嵌挿し、下部嵌挿突起８１ｂは、円筒部２３および円筒部２４における蓋体４の下端に設けた下部嵌挿孔４４ｂに嵌挿するものとする。
【００４６】
また、補助チューブ８は、補助チューブ８を蓋体４に装着する際に、補助チューブ８の背面側の外周壁面８２が凹状壁面４２の一部と嵌合するよう形成される。
【００４７】
なお、本実施例においては、図８および図１０Ｂに示すように、蓋体の嵌挿孔４４を、円筒部２２と円筒部２３との間にも、上部嵌挿孔４４ａおよび下部嵌挿孔４４ｂをそれぞれ１つずつ形成しているが、上記第二の形態においては、円筒部２２と円筒部２３との間に形成した嵌挿孔４３は使用せず、後述する第三の組立形態において使用するものである。
【００４８】
そして、図７および図８に示すように、管理チューブ６を筐体３に装着し、補助チューブ８を蓋体４に装着した状態において蓋体４を閉塞した際は、管理チューブ６の背面側の外周壁面６５が凹状壁面４２と嵌合するようにしている。
この際、管理チューブ６と補助チューブ８とは、互いに嵌合する。すなわち、第一の組立形態における増設チューブ７分の空間を、補助チューブ８によって補完する様態に構成している。
【００４９】
管理チューブ６および補助チューブ８からなる釣銭管理ユニット５を筐体３および蓋体４に装着した状態において、硬貨収納筒２の各円筒部２１〜２５の正面側は、筐体３で構成する一方、硬貨収納筒２の各円筒部２１〜２５の背面側は、蓋体４と補助チューブ８と管理チューブ６と筐体３とによって、上下を分割して構成している。
すなわち、釣銭として残したい硬貨枚数分の高さまでの部位は筐体３および管理チューブ６で構成し、それ以上の部位は蓋体４および補助チューブ８で構成している。
【００５０】
そして、蓋体４を閉塞している状態においては、硬貨収納筒２の硬貨を収容する各円筒部２１〜２５の周面を、筐体３の内周壁面３４と、蓋体４の内周壁面４３と、管理チューブ６の内周壁面６６と、補助チューブ８の内周壁面８３とによって構成し、蓋体４を拡開している状態においては、硬貨収納筒２内の収納硬貨のうち、釣銭として残さない硬貨の外周面の背面側略半分が硬貨収納装置１から露出するようにしている。
【００５１】
ここで、上述のとおり、円筒部２３における管理チューブ６の高さは、１０円硬貨５０枚分の高さに対応し、円筒部２４における管理チューブ６の高さは、１００円硬貨２５枚分の高さに対応するものとしている。
【００５２】
次に、第一の組立形態および第二の組立形態において、円筒部２３における蓋体４と管理チューブ６との境界部の構成、円筒部２４における蓋体４と増設チューブ７との境界部の構成、および円筒部２４における管理チューブ６と補助チューブ８との境界部の構成について説明する。
【００５３】
図５Ａおよび図５Ｂに示すように、管理チューブ６の円筒部２３、２４におけるそれぞれの上端の背面側、および増設チューブ７の上端の背面側には、それぞれ切欠部６７、６７’、７７を形成している。この切欠部６７、６７’、７７の幅は、円筒部２３、２４に積載収納されるそれぞれの金種の硬貨外径よりも幅狭であって、切欠部６７、６７’、７７の高さは、硬貨１枚分の高さと略同等であるように設けている。すなわち、釣銭として残す硬貨のうち最上位の硬貨が、該硬貨の一部が入り込むことによって、背面側に若干スライド可能である構成である。
【００５４】
さらに、各切欠部６７、６７’、７７の中心には、それぞれ略Ｕ字形状の凹部６７ａ、６７ａ’、７７ａを形成している。
【００５５】
そして、管理チューブ６の円筒部２３、２４におけるそれぞれの上端の左右縁部、および増設チューブ７の上端の左右縁部には、それぞれ一対のフック部６８ａ、６８ａ’、７８ａを形成している。このフック部は、釣銭として残す硬貨のうち最上位の硬貨が背面側にスライドした際に、該硬貨上面の左右の一部を覆う様態に形成されている。
【００５６】
また、それぞれの左右のフック部６８ａ、６８ａ’、７８ａと切欠部６７、６７’、７７の上面とによって、釣銭として残す硬貨のうち最上位の硬貨が後方にスライドするのを案内するそれぞれ一対のスリット６８、６８’、７８を構成している。
【００５７】
このような構成によると、スリット６８、６８’、７８の高さに位置する硬貨、すなわち釣銭として残す硬貨のうち最上位の硬貨が、背面側に若干スライド移動して停止する。すると、最上位の硬貨は、フック部６８ａ、６８ａ’、７８ａによって上面の一部を覆われて、管理チューブ６または増設チューブ７における上方の開口を塞ぐ蓋の役割を成すこととなるので、硬貨収納装置１をさらに傾倒させて逆さまにし、釣銭として残さない硬貨を回収しようとしても、管理チューブ６または増設チューブ７内に収納された硬貨が誤って落下するのを防止することができる。
【００５８】
他方、図１および図６に示すように、蓋体４の凹状壁面４２の上端には、切欠部６７、７７および凹部６７ａ、７７ａに対向して、突出部４５、４５’および略逆Ｕ字形状の凸部４５ａ、４５ａ’を形成しており、切欠部６７、７７が突出部４５、４５’に嵌合し、凹部６７ａ、７７ａが凸部４５ａ、４５ａ’に嵌合して、第一の組立形態における蓋体４の閉塞時に、蓋体４と管理チューブ６および増設チューブ７とが一体的に連結するようにしている。
【００５９】
また、図５Ｂに示すように、補助チューブ８の下端には、切欠部６７’および凹部６７ａ’に対向して、突出部８５および凸部８５ａを形成しており、突出部８５が切欠部６７’に嵌合し、凸部８５ａが凹部６７ａ’に嵌合して、補助チューブ８と管理チューブ６とが一体的に連結するようにしている。
【００６０】
このような構成によると、第一の組立形態における硬貨の回収時においては、蓋体４を閉塞する動作によって、蓋体４の凸部４５ａ、４５ａ’が、上記蓋の役割を成す最上位の硬貨を正面側に押して、該最上位の硬貨を円筒部２３、２４内の正しい位置に戻すことができる。
【００６１】
また、第二の組立形態における硬貨の回収時においては、補助チューブ８を装着した蓋体４を閉塞する動作によって、蓋体４の凸部４５ａおよび補助チューブ８の凸部８５ａが、上記蓋の役割を成す最上位の硬貨を正面側に押して、該最上位の硬貨を円筒部２３、２４内の正しい位置に戻すようにしている。
【００６２】
このように、釣銭として残す硬貨の枚数分の高さに対応する境界部の構成は、本出願人が先に出願した特許文献３（特願２０１１−２６０３３６号明細書）の構成と同様のものであり、詳しくは前記特許文献３を参照されたい。
【００６３】
なお、図５Ａに示すように、増設チューブ７の下端には、切欠部６７’および凹部６７ａ’に対向して、突出部７９および略逆Ｕ字形状の凸部７９ａを形成しており、切欠部６７’が突出部７９に嵌合し、凹部６７ａ’が凸部７９ａに嵌合して、管理チューブ６と増設チューブ７とが一体的に連結するようにしている。
【００６４】
また、図５Ｂに示すように、補助チューブ８の上端には、突出部４５’および凸部４５ａ’に対向して、切欠部８４および凹部８４ａを形成しており、切欠部８４が突出部４５’に嵌合し、凹部８４ａが凸部４５ａ’に嵌合して、補助チューブ８と蓋体４とが一体的に連結するようにしている。
【００６５】
このように、釣銭管理ユニット５を筐体３および／または蓋体４に装着した状態において、蓋体４を閉塞した際に、各内周壁面３４、４３、６６、７６、８３が略同一面を形成する構成によって、円筒部２３および円筒部２４内に落下してきた硬貨が各部材間の隙間に引っ掛かるのを回避することができる。
【００６６】
これまで、釣銭回収時において、所定の硬貨を硬貨収納筒２内に残すようにした２つの組立形態を示したが、本発明は、釣銭回収時に硬貨収納筒２内に釣銭を残さないようにする、第三の組立形態にすることも可能である。
【００６７】
図１１〜図１３に示す第三の組立形態における硬貨収納装置１の基本的な構成は、図１〜図４に示す第一の組立形態および図６〜図９に示す第二の組立形態と同様であり、筐体３および蓋体４は、第一の組立形態および第二の組立形態と共通のものを使用するものとし、同様の符号で示すものとしている。
【００６８】
釣銭管理ユニット５は、図１１〜図１３に示す第三の組立形態において、釣銭回収時に硬貨収納筒２内に釣銭を残さないように、硬貨収納筒２の円筒部２３および円筒部２４の背面側一部を構成されるものであって、図５Ｃに示すように、全補助チューブ９のみから構成される。
【００６９】
図５Ｃに示すように、全補助チューブ９には、上方（硬貨収納筒２における上流側）に向かって突設される嵌挿突起９１を複数設けており、本実施例において、この嵌挿突起９１は、全補助チューブ９上部の左右側部および中央部に設けた３つの上部嵌挿突起９１ａと、全補助チューブ９下部の左右側部および中央部に設けた３つの下部嵌挿突起９１ｂとからなる。
【００７０】
そして、図１４Ａおよび図１４Ｂに示すように、全補助チューブ９を蓋体４に取り付ける際は、蓋体４における、円筒部２２と円筒部２３との間、円筒部２３と円筒部２４との間、および円筒部２４と円筒部２５との間に形成した嵌挿孔４４に、各嵌挿突起９１を嵌挿して固定している。この際、上部嵌挿突起９１ａは、凹状壁面４２の上端に設けた上部嵌挿孔９１ａに嵌挿し、下部嵌挿突起９１ｂは、凹状壁面４２の下端に設けた下部嵌挿孔９１ｂに嵌挿するものとする。
【００７１】
また、全補助チューブ９は、全補助チューブ９を蓋体４に装着する際に、全補助チューブ９の背面側の外周壁面９２が凹状壁面４２と嵌合するよう形成される。すなわち、第一の組立形態における管理チューブ６および増設チューブ７分の空間を、全補助チューブ９によって補完する様態に構成している。
【００７２】
図５Ｃに示すように、円筒部２３における全補助チューブ９の上端には、突出部４５および凸部４５ａに対向して、切欠部９４および凹部９４ａを形成しており、円筒部２４における全補助チューブ９の上端には、突出部４５’および凸部４５ａ’に対向して、切欠部９４’および凹部９４ａ’を形成しており、切欠部９４および凹部９４ａが突出部４５および凸部４５ａに嵌合し、切欠部９４’および凹部９４ａ’が突出部４５’および凸部４５ａ’に嵌合して、補助チューブ９と蓋体４とが一体的に連結するようにしている。
【００７３】
このように、第三の組立形態における釣銭管理ユニット５、すなわち全補助チューブ９を蓋体４に装着した状態において、蓋体４を閉塞した際に、各内周壁面３４、４３、９３が略同一面を形成する構成によって、円筒部２３および円筒部２４内に落下してきた硬貨が各部材間の隙間に引っ掛かるのを回避することができる。
【００７４】
図１２および図１３に示すように、全補助チューブ９からなる釣銭管理ユニット５を蓋体４に装着した状態において、硬貨収納筒２の各円筒部２１〜２５の正面側は、筐体３で構成する一方、硬貨収納筒２の各円筒部２１〜２５の背面側は、蓋体４と全補助チューブ９と筐体３とによって、上下を分割して構成している。
【００７５】
そして、蓋体４を閉塞している状態においては、硬貨収納筒２の硬貨を収容する各円筒部２１〜２５の周面を、筐体３の内周壁面３４と、蓋体４の内周壁面４３と、全補助チューブ９の内周壁面９３とによって構成し、蓋体４を拡開している状態においては、硬貨収納筒２内の収納硬貨のうち、略全ての硬貨の外周面の背面側略半分が硬貨収納装置１から露出するので、硬貨収納装置を後方に傾倒させることによって、硬貨収納筒２内の硬貨を全て回収することができる。
【００７６】
以上の構成により、釣銭管理ユニット５の構成部品および組立形態を変更することによって、釣銭回収時において硬貨収納筒２内に残す硬貨の枚数を変更することができる。
【００７７】
すなわち、管理チューブ６に増設チューブ７を装着して、さらにこれを筐体３に装着する第一の組立形態においては、１０円硬貨５０枚および１００円硬貨２５枚をそれぞれ円筒部２３および円筒部２４に残し、管理チューブ６を筐体３に装着し、補助チューブ８を蓋体４に装着する第二の組立形態においては、１０円硬貨５０枚および１００円硬貨４５枚をそれぞれ円筒部２３および円筒部２４に残し、さらに、全補助チューブ９を蓋体４に装着する第三の組立形態においては、硬貨を残さないように変更することができる。
【００７８】
したがって、本発明の硬貨収納装置１は、図２、図７および図１２に示すように、硬貨収納筒２の背面側において、釣銭として残す硬貨枚数分の積層高さを釣銭管理ユニット５により管理形成するようにし、釣銭として残す硬貨の枚数を変更できるようにすることによって、硬貨収納装置１を搭載する自動販売機の運用に合わせて、釣銭として残す硬貨の枚数を設定できる。
なお、それぞれの残留硬貨の設定枚数は、本実施例の枚数に限定されず、適宜設定することができるものである。
【００７９】
そして、本発明の硬貨収納装置は、上述したとおり、硬貨回収時において蓋体を拡開した状態で装置本体を後方に傾倒させることによって、釣銭として残す硬貨の外周面の背面側が保持され、釣銭として残さない硬貨のみが後方に落下するものであり、さらに、釣銭として残す硬貨の枚数分の高さに対応する境界部に、釣銭として残す硬貨のうち最上位の硬貨を若干後方にスライドさせた状態で停止するスリットを設けることによって、停止した最上位の硬貨が、前記最上位の硬貨より下方に積載収納された硬貨が落下するのに障害となる蓋の役割をなして、予期せぬ必要硬貨の落下を防止することができる。
【００８０】
この硬貨回収の一連の作業は、硬貨収納装置を硬貨処理装置本体からの脱着作業内に、持ち替えることを必要とせず行うことが可能であるので、特別な別部品を使用することなく、任意の必要枚数を残した収納硬貨の回収および補充作業を同時に迅速かつ確実に行うことができるとともに、残留硬貨の枚数を適宜変更することが可能である。
【符号の説明】
【００８１】
１          硬貨収納装置
２          硬貨収納筒
２１〜２５  円筒部
３          筐体（装置本体）
３１        軸部
３２        挿通孔
３３        被取付部
３４        内周壁面
４          蓋体
４１        軸部
４１ａ      腕部
４２        凹状壁面
４３        内周壁面
４４        嵌挿孔
４５        突出部
４５ａ      凸部
５          釣銭管理ユニット
６          管理チューブ
６１        嵌挿孔
６２        爪部
６３        溝部
６４        取付部
６４ａ      爪部
６５        外周壁面
６６        内周壁面
６７        切欠部
６７ａ      凹部
６８        スリット
６８ａ      フック部
７          増設チューブ
７１        嵌挿突起
７２        取付孔
７３        リブ７
７４        取付部
７４ａ      爪部
７５        外周壁面
７６        内周壁面
７７        切欠部
７７ａ      凹部
７８        スリット
７８ａ      フック部
７９        突出部
７９ａ      凸部
８          補助チューブ
８１        嵌挿突起
８２        外周壁面
８３        内周壁面
８４        切欠部
８４ａ      凹部
８５        突出部
８５ａ      凸部
９          全補助チューブ
９１        嵌挿突起
９２        外周壁面
９３        内周壁面
９４        切欠部
９４ａ      凹部
【図１】
0005928793.tif 000002
【図２】
0005928793.tif 000003
【図３】
0005928793.tif 000004
【図４】
0005928793.tif 000005
【図５Ａ】
0005928793.tif 000006
【図５Ｂ】
0005928793.tif 000007
【図５Ｃ】
0005928793.tif 000008
【図６】
0005928793.tif 000009
【図７】
0005928793.tif 000010
【図８】
0005928793.tif 000011
【図９】
0005928793.tif 000012
【図１０Ａ】
0005928793.tif 000013
【図１０Ｂ】
0005928793.tif 000014
【図１１】
0005928793.tif 000015
【図１２】
0005928793.tif 000016
【図１３】
0005928793.tif 000017
【図１４Ａ】
0005928793.tif 000018
【図１４Ｂ】
0005928793.tif 000019